(57)【要約】【課題】長手方向と直交する横断面形状の見かけ上の姿勢が変化する線材の姿勢を、一定の方向を向くように送出することが可能な線材ガイドノズル、及びこれを備えた線材巻付装置を提供する。【解決手段】長手方向と並行な軸線を中心として回転させた時に長手方向と直交する横断面形状の見かけ上の姿勢が変化する線材２０３を挿通してガイドしつつ送出するノズル孔４１を有した線材ガイドノズルであって、ノズル孔は、該ノズル孔から送出される線材の横断面形状の見かけ上の姿勢が常に一定の方向を向くようにその内面形状が構成されている。【選択図】図８
2019156513.tif 000002
【特許請求の範囲】
【請求項１】
長手方向と並行な軸線を中心として回転させた時に前記長手方向と直交する横断面形状の見かけ上の姿勢が変化する線材を挿通してガイドしつつ送出するノズル孔を有した線材ガイドノズルであって、
前記ノズル孔は、該ノズル孔から送出される前記線材の横断面形状の見かけ上の姿勢が常に一定の方向を向くようにその内面形状が構成されていることを特徴とする線材ガイドノズル。
【請求項２】
前記線材は、その表面に長手方向に沿って伸びる凹所を有することを特徴とする請求項１に記載の線材ガイドノズル。
【請求項３】
前記ノズル孔の横断面形状は、前記線材の前記凹所以外の表面と摺接しうる凸図形状であることを特徴とする請求項２に記載の線材ガイドノズル。
【請求項４】
前記ノズル孔の横断面形状は、前記線材の前記凹所以外の表面と摺接しうる凸包絡形状であることを特徴とする請求項２に記載の線材ガイドノズル。
【請求項５】
前記ノズル孔は、前記線材の前記凹所に入り込む凸部を有することを特徴とする請求項２に記載の線材ガイドノズル。
【請求項６】
請求項１乃至５の何れか一項に記載の線材ガイドノズルを備えたことを特徴とする線材巻付装置。
【請求項７】
前記線材ガイドノズルを、前記軸線を中心として回転させる回転駆動機構を備えたことを特徴とする請求項６に記載の線材巻付装置。
【発明の詳細な説明】
【技術分野】
【０００１】
本発明は、挿通されてきた線材をガイドしつつ送出するノズル孔を有した線材ガイドノズルに関し、特に、長手方向と並行な軸線を中心として回転させた時に長手方向と直交する横断面形状の見かけ上の姿勢が変化する線材をガイドするに好適な線材ガイドノズル及びこれを備えた線材巻付装置に関する。
【背景技術】
【０００２】
金属線材を所定の傾斜角度で螺旋状、且つ多層状に巻き付けることにより形成される中空筒状フィルタは、各種の流体から異物を除去するフィルタとして各方面において使用されている。
上記中空筒状フィルタを製造するにあたっては、金属線材を心棒の所定の位置に位置決めして巻き付ける必要があるために、金属線材を挿通してガイドしつつ送出する線材ガイドノズルを使用する。特許文献１には、線材を巻芯冶具に巻線してコイルを形成する自動巻線装置に使用される線材ガイドノズルが記載されている。この発明においては、線材ガイドノズルのノズル孔を長円形状とすることによって、線材の位置決め精度を高めている。
【先行技術文献】
【特許文献】
【０００３】
【特許文献１】特開２００３−８１５３４公報
【特許文献２】国際公開第２０１６／０６８２５０号
【発明の概要】
【発明が解決しようとする課題】
【０００４】
ここで、特許文献１に記載の線材ガイドノズルがガイド対象とする線材は、長手方向と直交する横断面の形状が真円形状であり、特許文献２に記載されているような異形線材をガイド対象とはしていない。従って、特許文献１に記載の線材ガイドノズルを利用して、特許文献２に記載されているような異形線材をガイドすると、異形線材がノズル孔内で回転し、線材ガイドノズルから送出される異形線材の姿勢、即ち、心棒に対する異形線材の巻き付け姿勢を一定に保持できなくなる虞がある。
本発明は上述の事情に鑑みてなされたものであり、長手方向に沿った軸線を中心として回転した時に長手方向と直交する横断面形状の見かけ上の姿勢が変化する線材の姿勢を、常に一定の方向を向いた状態で送出することが可能な線材ガイドノズル、及びこれを備えた線材巻付装置を提供することを目的とする。
【課題を解決するための手段】
【０００５】
上記の課題を解決するために、本発明は、長手方向と並行な軸線を中心として回転させた時に前記長手方向と直交する横断面形状の見かけ上の姿勢が変化する線材を挿通してガイドしつつ送出するノズル孔を有した線材ガイドノズルであって、前記ノズル孔は、該ノズル孔から送出される前記線材の横断面形状の見かけ上の姿勢が常に一定の方向を向くようにその内面形状が構成されていることを特徴とする。
【発明の効果】
【０００６】
本発明によれば、横断面形状の見かけ上の姿勢が変化する線材の姿勢を一定の方向を向くように送出することが可能となる。
【図面の簡単な説明】
【０００７】
【図１】第一の実施形態に係る線材ガイドノズルを示す図であり、（ａ）は斜視図であり、（ｂ）は縦断面図である。
【図２】（ａ）〜（ｅ）は、線材ガイドノズルがガイド対象とする線材の一例を示す図である。
【図３】（ａ）、（ｂ）は、線材ガイドノズルがガイド対象とする異形線材の一例を示す図である。
【図４】図３（ａ）、（ｂ）に示した線材の形成方法の一例を示す模式図である。
【図５】（ａ）〜（ｅ）は、線材ガイドノズルがガイド対象とする異形線材の他の例を示す図である。
【図６】図５（ａ）〜（ｅ）に示した線材の形成方法の一例を示す模式図である。
【図７】図５（ａ）に示した線材の横断面図である。
【図８】線材の横断面形状とノズル孔の断面形状との関係の一例を示す横断面図である。
【図９】線材の横断面形状とノズル孔の断面形状との関係の一例を示す横断面図である。
【図１０】（ａ）〜（ｄ）は、線材の横断面形状とノズル孔の断面形状との関係の一例を示す横断面図である。
【図１１】線材の横断面形状とノズル孔の断面形状との関係の一例を示す横断面図である。
【図１２】中空筒状フィルタの模式的斜視図である。
【図１３】中空筒状フィルタの断面を写真で示す図である。
【図１４】フィルタの製造装置の一例を示す模式図である。
【図１５】巻付装置部分を拡大して示す模式的斜視図である。
【図１６】フィルタの製造装置の他の構成例を示す模式図である。
【図１７】線材ガイドノズルの回転駆動機構の一例を説明する模式的斜視図である。
【発明を実施するための形態】
【０００８】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
【０００９】
〔線材ガイドノズルの概要〕
図１は、第一の実施形態に係る線材ガイドノズルを示す図であり、（ａ）は斜視図であり、（ｂ）は縦断面図である。
線材ガイドノズル４０Ａは軸線方向（Ａ方向）に貫通したノズル孔４１を有する中空筒状である。ノズル孔４１は、線材２０（図２、図３、図５参照）を挿通してガイドしつつ送出する。
線材ガイドノズル４０Ａは、挿通する線材よりも硬度が高く、融点が高い材料から形成される。即ち、線材ガイドノズル４０Ａには、挿通する線材に対して十分な硬度差と融点差を持つ材料が用いられる。例えば、線材が、軟鋼、ステンレス鋼、ニッケル合金、銅合金等からなる金属線材の場合、線材ガイドノズル４０Ａを構成する材料は、ダイヤモンド、ルビー、超硬合金、ファインセラミックス等の中から選定される。なお、線材ガイドノズル４０Ａは、金属線材以外の線材、例えば、樹脂製の線材をガイド対象としてもよい。
【００１０】
本例に示す線材ガイドノズル４０Ａは、一体型の形状である。ノズル孔４１は、中実の柱状（棒状）の材料に対して細穴放電加工や彫工、切削加工等を施すことにより作製される。
ノズル孔４１は、軸線方向の一端（線材の送り方向の上流端）に線材を受け入れる受入部４２を備え、受入部４２よりも軸線方向の他端側に線材の姿勢を規制する姿勢規制部４３を備え、姿勢規制部４３よりも軸線方向の他端側であってノズル孔４１の軸線方向の他端（線材の送り方向の下流端）には、線材を線材ガイドノズル４０Ａの外部に送り出す送出部４４を備える。受入部４２の孔径は、一端側から他端側に向けてテーパー状に漸減するため、姿勢規制部４３内に線材を挿入することを容易にする。姿勢規制部４３の孔形状（ノズル孔４１の横断面形状）の詳細については後述する。
受入部４２と送出部４４の端縁部には、Ｒ加工が施されている。Ｒ加工により、線材をノズル孔４１内に受け入れる際、及び線材をノズル孔４１から送り出す際に、線材の損傷を防止する。
線材ガイドノズル４０Ａの軸線方向一端部の外周部には、線材ガイドノズル４０Ａをガイド部材１３２（図１３参照）に対して相対回転不能に取り付けるためのＤカット部４７が形成されている。
【００１１】
〔ガイド対象となる線材〕
線材ガイドノズルは、長手方向と並行な軸線を中心として回転させた時に長手方向と直交する横断面形状の見かけ上の姿勢（方向、角度）が変化する線材をガイド対象とする。言い換えれば、線材ガイドノズルは、少なくとも横断面形状が真円形（又は真円に極めて近い形状）の線材をガイド対象としない。なお、見かけ上の姿勢とは、物理的な形状自体は変化していないが回転することによって姿勢のみが変化して見える状態を指称する。
線材ガイドノズルによるガイド対象となる線材は、長手方向の全長に亘って一定の横断面形状を有する線材であり、規則的な横断面形状を有する線材でも、不規則的な横断面形状を有する線材（異形線材）でもよい。
ここで、異形とは一般に「普通とは違う怪しい形・姿をしていること」と定義されるが、ここで異形とは、断面形状が全長に亘って円形、楕円形、多角形等の規則的な形状を有している線材に対して、線材の断面形状が長手方向全長に亘って不規則な形状、例えば後述するＷ字状、Ｕ字状、Ｊ字状、Ｖ字状、Ｘ字状、〜状等々を有したものを広く含むものである。
【００１２】
＜表面に凹所を有さない線材＞
図２（ａ）〜（ｅ）は、線材ガイドノズルがガイド対象とする線材の一例を示す図である。
線材ガイドノズルは、表面に凹所（溝）を有さない線材２０１（２０１Ａ〜２０１Ｅ）をガイド対象とすることができる。例えば、線材ガイドノズルは、横断面が楕円形状の線材２０１Ａ（図２（ａ））、長円形状の線材２０１Ｂ（図２（ｂ））、偏平状、平角状の線材２０１Ｃ（図２（ｃ））、矩形状等のような規則的な横断面形状を長手方向の全長に亘って有する線材をガイド対象とすることができる。
また、線材ガイドノズルは、表面に凹所を有さない異形線材として、横断面が台形状の線材２０１Ｄ（図２（ｄ））、角隅部が面取された矩形状の線材２０１Ｅ（図２（ｅ））等のような不規則的な横断面形状を長手方向の全長に亘って有する線材をガイド対象とすることができる。
上記線材は、圧延ローラ対を用いた塑性変形や、線引き加工等により形成することができる。
【００１３】
＜表面に凹所を有する線材１＞
図３（ａ）、（ｂ）は、線材ガイドノズルがガイド対象とする異形線材の一例を示す図である。
線材ガイドノズルは、異形線材として、表面に凹所（溝）２１１を有する線材２０２（２０２Ａ、２０２Ｂ）をガイド対象とすることができる。線材２０２は、長手方向の全長に亘って一定の横断面形状を有する。即ち、線材２０２の表面に形成された凹所２１１は、長手方向の全長に亘って伸びる。線材２０２は一方の面（表面）に凹所２１１を有しているが、他方の面（裏面）は略平坦な平坦面２１３である。線材２０２は、凹所２１１に対応する凸所を有さない線材である。
図３（ａ）に示す線材２０２Ａは、表面に角Ｕ字状の凹所２１１を形成した例であり、図３（ｂ）に示す線材２０２Ｂは表面にＶ字状の凹所２１１を形成した例である。なお、線材２０２に形成する凹所２１１の数は単数でも複数でもよい。また、凹所２１１の内面は、平坦面、湾曲面、屈曲部、湾曲部の何れの要素を含んでもよい。
【００１４】
図４は、図３（ａ）、（ｂ）に示した線材の形成方法の一例を示す模式図である。
線材２０２は、圧延ローラ対を用いた塑性変形により形成することができる。
例えば断面が真円形状の金属素線２１を第一の圧延処理により断面概略正方形状に変形させた後、第二の圧延処理により表面の適所を押圧して角Ｕ字状の凹所２１１又はＶ字状の凹所２１１を形成することにより、線材２０２Ａ、２０２Ｂを得ることができる。なお、圧延処理は、線材２０２の形状に応じて、１回又は３回以上実施してもよい。
なお、線材２０２は、他の方法として、線引き加工を利用して作製することもできる。
【００１５】
＜表面に凹所を有する線材２＞
図５（ａ）〜（ｅ）は、線材ガイドノズルがガイド対象とする異形線材の他の例を示す図である。
線材２０３（２０３Ａ〜２０３Ｅ）は、一方の表面に凹所２１１を、他方の表面（裏面）に凹所２１１と対応する凸所２１５を有している。
例えば、線材ガイドノズルは、横断面がＶ字状（Ｌ字状）の線材２０３Ａ（図５（ａ））、Ｎ字状（Ｚ字状、Ｓ字状）の線材２０３Ｂ（図５（ｂ））、Ｗ字状（ω字状、ギザギザ状）の線材２０３Ｃ（図５（ｃ））、Ｕ字状（Ｃ字状）の線材２０３Ｄ（図５（ｄ））、ω字状（波状）の線材２０３Ｅ（図５（ｅ））、のような横断面形状を長手方向の全長に亘って有する線材をガイド対象とすることができる。
ここで、凹所２１１及び凸所２１５は、図５（ａ）〜（ｃ）に示すように鈍角状、又は鋭角状に屈曲した形状でもよいし、図５（ｄ）、（ｅ）に示すように湾曲した形状でもよい。凹所２１１（凸所２１５）の数と内面形状は、自由に設定することができる。
このように金属線材は、様々な断面形状とすることができる。金属線材は、上記以外にも、Ｊ字状、Ｘ字状、等としてもよい。
【００１６】
図６は、図５（ａ）〜（ｅ）に示した線材の形成方法の一例を示す模式図である。
線材２０３は、圧延ローラ対を用いた塑性変形により形成することができる。例えば断面が真円形状の金属素線２１を第一の圧延処理により断面概略偏平状（或いは矩形状）に変形させた後、第二の圧延処理により、長手方向と直交する幅方向の適所を屈曲（又は湾曲）させて凹所２１１及びこれと対となる凸所２１５（屈曲部又は湾曲部）を形成することにより、線材２０３Ａ〜２０３Ｅを得ることができる。なお、圧延処理は、線材２０３の形状に応じて、１回又は３回以上実施してもよい。
なお、線材２０３は、他の方法として、線引き加工を利用して作製することもできる。
【００１７】
〔線材とノズル孔との関係〕
以下、線材とノズル孔との関係について、表面に凹所を有する異形線材として図５（ａ）に示す横断面概略Ｖ字状の線材２０３Ａをノズル孔から送出する場合の例により説明する。図７は、図５（ａ）に示した線材の横断面図である。
線材２０３Ａは、一面に形成された凹所２１１内に位置する表面である凹所内表面２１２と、凹所２１１以外の表面である非凹所表面２１６とを有する。
図示する線材２０３Ａにおいて非凹所表面２１６は、凸所２１５により形成されると共に凹所内表面２１２の反対面に相当する凸面２１７と、線材２０３Ａの厚さＢ方向に沿った側面である側端面２１８ａ、２１８ｂとを有する。また、非凹所表面２１６は、屈曲した頂部２１９と、１８０度よりも小さい角度を有した４つの凸角部２２０ａ〜２２０ｄとを含む。なお、凸所２１５は、屈曲した頂部２１９を有する屈曲面により形成されている。
なお、仮に、線材２０３Ａの凹所２１１内に、外径方向に突出する部位が形成されている場合であっても、該突出する部位が線材２０３Ａの横断面形状に対する凸包絡形状の輪郭線２２１に接触しない場合は、当該突出する部位を含めて凹所内表面２１２として扱う。
線材ガイドノズルは、ノズル孔から送出される線材の横断面形状の見かけ上の姿勢が常に一定の方向を向くように線材をガイドする。そのため、ノズル孔の内面形状は、ガイドする線材の断面形状に応じた形状、且つ、送出する線材の横断面形状の見かけ上の姿勢を規制できる形状に設定される。
【００１８】
＜略同一形状＞
図８は、線材の横断面形状とノズル孔の断面形状との関係の一例を示す横断面図である。
ノズル孔４１Ａ（姿勢規制部４３）は、線材２０３Ａの横断面形状に対して、同形状（略同形状、或いは相似形状）の横断面形状を有する孔とすることができる。即ち、ノズル孔４１Ａは、凹所内表面２１２に沿う面７１と、非凹所表面２１６に沿う面７２とを有し、ノズル孔４１Ａの内面の全体が線材２０３Ａの外面（四面）に沿った形状を有する。なお、面７１は、線材２０３Ａの凹所２１１内に入り込むように内径側に突出した凸部８０により形成される。横断面概略Ｖ字形状の線材２０３Ａをガイドするノズル孔４１Ａは、概略Ｖ字形状の横断面形状となる。
このように、ノズル孔４１Ａを線材２０３Ａの横断面形状と略同形状の孔とすることで、ノズル孔４１Ａは、線材２０３Ａの横断面形状の見かけ上の姿勢が常に一定の方向を向くように、確実に線材２０３Ａをガイドすることができる上、適正な形状の線材２０３Ａのみを通過させることが可能となる。
なお、ノズル孔４１Ａは線材２０３Ａの外形状に対して線材２０３Ａを走行可能とするためのギャップＧＡを有している必要があるため、線材２０３Ａの横断面形状と略同形状であるとは、厳密には、線材２０３Ａの横断面形状に上記ギャップＧＡを加えた形状のことである。以下に説明する各形状のノズル孔の内面と線材の表面との関係も同様である。
【００１９】
＜凸包絡形状＞
図９は、線材の横断面形状とノズル孔の断面形状との関係の一例を示す横断面図である。
ノズル孔４１Ｂは、線材２０３Ａの横断面形状に対して凸包絡形状の孔とすることができる。凸包絡形状は、線材２０３Ａの周囲を輪ゴムで包囲したときに輪ゴムが作る図形として表現される。例えば、図示する断面Ｖ字状の線材２０３Ａに対して、凸包絡形状のノズル孔４１Ｂは五角形状（凸多角形状）の横断面形状となる。
ノズル孔４１Ｂの内面は、凹所２１１に入り込まずに凹所２１１と対向する面７３と、線材２０３Ａの非凹所表面２１６に沿う面７２とを備える。線材２０３Ａがノズル孔４１Ｂ内を走行するとき、線材２０３Ａの非凹所表面２１６と、該部位と対向するノズル孔４１Ｂの内面７２とが接触、摺接する。
このように、ノズル孔４１Ｂの横断面形状を凸包絡形状とする場合、線材２０３Ａが凹所２１１を有する線材であっても、ノズル孔４１Ｂは線材２０３Ａの凹所２１１に入り込む凸部を有さない内面形状となる。ノズル孔４１Ｂの横断面形状が線材２０３Ａの外形状に対して単純化されるため、ノズル孔４１Ｂの形成が容易となる。また、線材がノズル孔内に引っかかりにくくなり、線材をスムーズに走行させることが可能となる。
【００２０】
＜凸図形状＞
図１０（ａ）〜（ｄ）は、線材の横断面形状とノズル孔の断面形状との関係の一例を示す横断面図である。
ノズル孔４１（４１Ｃ〜４１Ｆ）は、線材２０３Ａの横断面形状に対して、凸図形状の孔とすることができる。凸図形は凹所を有さない図形であり、図９に示した凸包絡形も凸図形の一つである。凸図形状のノズル孔４１は、凹所２１１に入り込まずに凹所２１１と対向する面７３と、非凹所表面２１６の少なくとも一部に沿う面又は対向する面とを有する。
【００２１】
図１０（ａ）に示すノズル孔４１Ｃは、凸所２１５の適所（本例では屈曲した頂部２１９）と対向する面７４と、凸角部２２０ａ〜２２０ｄと対向する面７３、７５、７６と、を有した概略矩形状である。線材２０３Ａがノズル孔４１Ｃ内を走行するとき、線材２０３Ａの頂部２１９及び凸角部２２０ａ〜２２０ｄが、ノズル孔４１Ｃの内面と接触、摺接しうる。
図１０（ｂ）に示すノズル孔４１Ｄは、凸所２１５（凸面２１７）に沿う面７７と、凸角部２２０ａ、２２０ｄに対向する面７３とを有した概略三角形状である。線材２０３Ａがノズル孔４１Ｄ内を走行するとき、線材２０３Ａの凸所２１５及び凸角部２２０ａ〜２２０ｄがノズル孔４１Ｄの内面と接触、摺接しうる。
図１０（ｃ）に示すノズル孔４１Ｅは、凸所２１５（凸面２１７）に沿う面７７と、凸角部２２０ａ、２２０ｄに対向する面７３と、凸角部２２０ｂ、２２０ｃに対向する面７５、７６とを有した概略五角形状であり、凸包絡形状のノズル孔４１Ｂに準ずる形状である。線材２０３Ａがノズル孔４１Ｅ内を走行するとき、線材２０３Ａの凸所２１５及び凸角部２２０ａ〜２２０ｄがノズル孔４１Ｅの内面と接触、摺接しうる。
図１０（ｄ）に示すノズル孔４１Ｆは、凸角部２２０ａ、２２０ｄに対向する面７３と、頂部２１９に対向する面７４と、側端面２１８ａ、２１８ｂに沿う面７８、７９とを有した概略台形状である。線材２０３Ａがノズル孔４１Ｆ内を走行するとき、線材２０３Ａの頂部２１９及び凸角部２２０ａ〜２２０ｄがノズル孔４１Ｆの内面と接触、摺接しうる。
【００２２】
このように、ノズル孔４１の横断面形状を凸図形状とする場合、線材が凹所２１１を有する線材２０３Ａであっても、ノズル孔４１は線材２０３Ａの凹所２１１に入り込む凸部を有さない内面形状となる。ノズル孔４１の横断面形状が線材２０３Ａの外形状に対して単純化されるため、ノズル孔４１の形成が容易となる。
また、線材の厚さ方向に、線材の厚さＢよりも細い部分を有さないノズル孔４１の場合は、線材２０３Ａがノズル孔４１内で引っかかりにくくなり、線材２０３Ａをスムーズに走行させることが可能となる。
また、ノズル孔４１が、凸所２１５（凸面２１７）に沿う面７７を有する場合は、適正な形状の凸所２１５を有する線材２０３Ａのみを通過させることが可能となる。
【００２３】
＜凹図形状＞
図１１は、線材の横断面形状とノズル孔の断面形状との関係の一例を示す横断面図である。
ノズル孔４１Ｇは、線材２０３Ａの凹所２１１内に入り込む部位を有する凹図形状の孔とすることができる。凹図形は凹所を有する図形である。
図示するノズル孔４１Ｇは、線材２０３Ａの凹所２１１内に入り込むように内径側に突出した凸部８０を有する。ノズル孔４１Ｇは、線材２０３Ａの姿勢をノズル孔４１Ｇ内で一定に保持できればよいため、凸部８０の突出量は必ずしも凹所２１１の深さと同等である必要はない。
図示するノズル孔４１Ｇは、凹所内表面２１２に沿う面７１と、頂部２１９及び凸角部２２０ｂ、２２０ｃに対向する面７４〜７６と、を有する。凹所内表面２１２に沿う面７１は凸部８０により形成される。線材２０３Ａがノズル孔４１Ｇ内を走行するとき、線材２０３Ａの凹所内表面２１２、頂部２１９及び凸角部２２０ｂ、２２０ｃと、該部位と対向するノズル孔４１Ｇの内面とが接触、摺接する。
なお、ノズル孔４１Ｇの凸部８０以外の形状は、ノズル孔４１Ｇ内における線材２０３Ａの姿勢を凸部８０と協働して所定に規制できる形状であればよい。
【００２４】
このように、ノズル孔４１Ｇの横断面形状を凹図形状とする場合、ノズル孔４１Ｇに形成した凸部８０が線材２０３Ａの凹所２１１に入り込んでその姿勢を規制するため、ノズル孔４１Ｇ内における線材２０３Ａの姿勢維持が確実となる。また、凸部８０が線材２０３Ａの凹所２１１に入り込むため、適正な形状の凹所２１１を有する線材２０３Ａのみを通過させることが可能となる。
【００２５】
〔フィルタの形状〕
線材ガイドノズルによりガイドされて送出される線材により作製される製品の一例である中空筒状フィルタについて説明する。
図１２は、中空筒状フィルタの模式的斜視図である。
中空筒状のフィルタ（以下、フィルタ、という）１０は、少なくとも一本の金属線材２０（２０Ａ、２０Ｂ）を、軸方向（図中上下方向）に対して一定の傾斜角度を有して螺旋状に、且つ多層状に巻き付けることにより形成される。ここで同じ方向に巻き付けられている個々の層を線材層Ｌ１、Ｌ２、Ｌ３・・・と称する。各線材層Ｌ１、Ｌ２、Ｌ３・・・を構成する金属線材は、正面視で中空筒状フィルタの軸方向に対して傾斜した同一方向へ延びており、また隣接する各線材層を構成する金属線材は互いに交差する方向に延びている（平行していない）。
【００２６】
図１２中における最外層の線材層Ｌｎを構成する線材２０Ａ（厚みを図示省略）の延びる方向は実線矢印で示した方向であり、その直ぐ内側の線材層Ｌｎ−１を構成する線材２０Ｂの延びる方向は破線矢印で示した方向である。
即ちフィルタ１０は、金属線材２０を軸方向に対して一定の傾斜角度にて螺旋状に巻付けることにより形成した一つの線材層（例えば、線材層Ｌ１）と、一つの線材層Ｌ１の外周側に重ねて、且つ該一つの線材層Ｌ１を構成する金属線材とは異なる傾斜角度にて螺旋状に金属線材を巻付けることにより形成される他の線材層（例えば、線材層Ｌ２）と、を有する。一つの線材層Ｌ１とこれと隣接する他の線材層Ｌ２を夫々構成する金属線材同士は軸方向とは非平行であり、且つ互いに交差するように構成されている。
なお、線材層を構成する金属線材の軸方向に対する傾斜角度が一つの線材層中で変化するように構成してもよい。
【００２７】
このフィルタ１０は、液体や気体等の各種流体中から不要な物質等を除去し、また用途によっては同時にフィルタを通過する流体を冷却するために用いられる。また、このフィルタは、第一に、線材層が重なり合う方向（厚さ方向）、即ち、フィルタの径方向に流体が通過する流路を形成するように構成される。流体は、フィルタの内径側から外径側に通過させても、外径側から内径側に通過させてもよい。ここで径方向とは厳密な意味の直径方向（半径方向）ではなく、軸方向、周方向に対して、概ね径方向という意味である。
フィルタの大きさ（軸方向寸法、直径、厚さ等）は、フィルタが装備される濾過装置の構造や大きさに応じて適宜決定される。
このフィルタの材料となる金属の種類としては、鉄、軟鋼、ステンレス鋼、ニッケル合金、銅合金などを挙げることができ、中でもオーステナイト系ステンレス鋼（ＳＵＳ３０４）が好適である。
また、フィルタに使用される金属線材の太さ及び断面形状は、フィルタの大きさ、フィルタが除去する物質、圧力損失等に応じて適宜決定される。
フィルタには、図２、図３、図５等に示す線材２０（２０１〜２０３）が使用される。
【００２８】
図１３は、中空筒状フィルタの断面を写真で示す図である。
図示するフィルタは、図５（ａ）に示す横断面概略Ｖ字状の線材２０３Ａを使用した例である。このフィルタにおいては、線材２０３Ａの凹所２１１がフィルタの内径側を向くように揃えられている。線材ガイドノズルは、線材２０３Ａの横断面形状の見かけ上の姿勢が常に一定の方向を向くようにガイドしつつ線材２０３Ａを送出するため、フィルタ内における線材２０３Ａの横断面形状の見かけ上の姿勢を所定の向きに制御することができる。
【００２９】
〔フィルタの製造装置〕
線材ガイドノズルを備えた線材の巻付装置、及びこれを備えたフィルタの製造装置の一例について説明する。
図１４は、フィルタの製造装置の一例を示す模式図である。この装置は金属線材から中空筒状体（フィルタ）を作製するものである。
製造装置１００Ａは、不図示のボビンから供給される金属素線２１を圧延する圧延装置１１０と、圧延により断面形状が変形した後の金属素線（以下「金属線材２０」という）に対して長手方向へ所定の張力を与えるテンションユニット１２０と、金属線材２０を心棒１３１に巻付けて中空筒状体を形成する巻付装置１３０と、を概略備える。また、金属線材２０の搬送経路上には、金属線材をガイドしつつ搬送する複数の搬送ローラ１４０が配置されている。
圧延装置１１０は対向配置されて回転する２つの円柱状の圧延ローラ１１１ａ、１１１ｂを備える。圧延ローラ１１１ａと圧延ローラ１１１ｂの表面（対向面）同士が接触する部分は、金属素線２１を間に挟んで所望の形状に変形させる加圧部１１２を構成している。圧延装置１１０は所定の温度及び圧力下で金属素線２１を加圧部１１２にて塑性変形させることにより、所定の断面形状を有する金属線材２０を得る。圧延は冷間圧延でも熱間圧延でもよい。
【００３０】
圧延ローラ１１１ａ、１１１ｂの何れか一方、又は双方の表面には、金属素線を所望の断面形状に圧延加工するための凸部、又は／及び、凹部が形成されており、加圧部１１２を金属素線が通過する際にこれらの凸部や凹部により圧延されて塑性変形して所定の断面形状を備えた金属線材２０に加工される。
テンションユニット１２０は、所定位置に回転自在な状態で固定配置された固定ローラ１２１と、固定ローラ１２１に対して接近又は離間移動し、且つ回転自在な可動ローラ１２２とを有する。固定ローラ１２１に対して可動ローラ１２２を接近また離間移動させることにより、固定ローラ１２１及び可動ローラ１２２に巻き掛けられて搬送される金属線材２０に対して所定の張力を与える。
巻付装置（線材巻付装置）１３０は、一定方向に所定速度にて回転する心棒１３１と、心棒１３１の軸方向（図中紙面と直交する方向）に沿って所定速度にて往復移動して金属線材２０をガイドするガイド部材１３２と、を備える。心棒１３１は概略円柱状又は円筒状であり、一般的にステンレス鋼、銅合金、アルミニウム合金などの金属から形成される。
【００３１】
図１５は、巻付装置部分を拡大して示す模式的斜視図である。
ガイド部材１３２は、ガイドする金属線材２０の外形状に応じたノズル孔が形成された線材ガイドノズル４０を備える。線材ガイドノズル４０は、ノズル孔の形状に合う金属線材２０のみを通過させると共に、金属線材２０を所定の姿勢に維持した状態で心棒１３１に向けて送出する。線材ガイドノズル４０は適正な形状に圧延された金属線材２０のみをノズル孔の向きに応じた姿勢で送出するため、線材ガイドノズル４０を備えることにより中空筒状体の品質を向上させることができる。
【００３２】
中空筒状体を作製するには、心棒１３１の適所に金属線材２０の一端を係止し、金属線材２０に対してテンションユニット１２０にて所定の張力を与えた状態にて、軸心Ｃを中心として心棒１３１を一定方向（図１５中矢印Ｄ方向）に回転させると共に、金属線材２０を送出するガイド部材１３２を心棒１３１の軸方向（図１５中、矢印Ｅ１方向、Ｅ２方向）に往復移動させる。この動作により、金属線材２０は心棒１３１の外周に螺旋状、且つ多層状に巻付けられる。また、隣接する線材層を構成する金属線材同士が互いに交差して網目を形成する。
【００３３】
金属線材２０を所定回数（所定階層数）巻付けた後、金属線材２０を切断し、切断された端部をスポット溶接等により巻付けを完了した線材の適所に接合して心棒１３１から取り外すことにより、中空筒状体を得る。
心棒１３１の軸方向に対する金属線材２０の角度（巻付け角度）、及び軸方向に隣接する金属線材２０同士の間隔（ピッチ）は、心棒１３１の回転速度とガイド部材１３２の移動速度との比率を適宜調節することにより変更することができる。金属線材の太さ、巻付け角度、ピッチ、巻付け回数を適宜変更することにより、フィルタを通過する流体の圧力損失を適切な値に制御することができる。
【００３４】
製造装置１００Ａにより製造された中空筒状体は、そのままの状態でフィルタとして使用することもできるが、高温で焼結することが好ましい。焼結する際の温度は、金属線の種類、太さ、巻付け回数、ピッチ、巻き付け角度などにより異なるが、５００〜１５００度（℃）の範囲で行うものとする。この中でも１１００〜１２０１度の範囲が好適である。
焼結は、圧延の際に生じた金属線材の内部歪を緩和し、かつ、金属線材の重なり合う部分を接合することを目的として行う。焼結は所定温度に設定された電気炉内で実施するのが好ましく、焼結時間は、金属線材の種類、太さ、巻き付け回数、巻き付け密度、ピッチ、焼結温度により変わるが、３０〜８０分の範囲で選ぶのが好ましい。焼結は空気中で行うこともできるが、真空中や金属線材を脆化させたり化学反応を生起するおそれのない不活性ガス中で行うのが好ましい。不活性ガスとしては、窒素ガス、アルゴンなどをあげることができるが、中でも窒素ガスが好適である。
【００３５】
図１６は、フィルタの製造装置の他の構成例を示す模式図である。製造装置１００Ｂは、金属素線２１の搬送経路上に複数の圧延装置１１０（１１０Ａ、１１０Ｂ）を備え、金属素線２１に対して複数回の圧延を実施することができる。
製造装置１００Ｂ内に複数の圧延装置を配置する場合、圧延装置１１０Ａ、１１０Ｂ間に、任意でバッファユニット１５０を挿入してもよい。バッファユニット１５０は、所定位置に回転自在な状態で軸心を位置固定された固定ローラ１５１と、固定ローラ１５１に対して接近又は離間移動する回転自在な可動ローラ１５２とを有する。固定ローラ１５１と可動ローラ１５２には、前段の圧延装置１１０Ａにより圧延された後の金属素線が巻き掛けられる。固定ローラ１５１に対して可動ローラ１５２を接近また離間移動させることにより、バッファユニット１５０は圧延装置１１０Ａと巻付装置１３０との間の同期を取り、或いは圧延装置１１０Ａ、１１０Ｂ間の加工速度差を吸収する。
【００３６】
複数回の圧延を実施する場合、各圧延装置１１０Ａ、１１０Ｂによる金属素線２１の圧延方向は、同一方向としてもよいし、異なる方向としてもよい。
製造装置１００Ｂは、圧延装置１１０Ｂの直前に、線材ガイドノズル４０を備えたガイド部材１３２Ａを備えてもよい。ガイド部材１３２Ａを構成する線材ガイドノズル４０は、圧延装置１１０Ａにより圧延された後の線材の外形状に応じた形状のノズル孔４１を有する。線材ガイドノズル４０は、ノズル孔４１の形状に合う線材のみを通過させると共に、線材を所定の姿勢に維持した状態で圧延装置１１０Ｂに向けて送出する。従って、製造装置１００Ｂでは、横断面形状の見かけ上の姿勢が変化する線材を所定の姿勢で圧延装置１１０Ｂに導入することができるため、中空筒状体を構成する金属線材２０の品質を向上させることができる。
【００３７】
図１７は、線材ガイドノズルの回転駆動機構の一例を説明する模式的斜視図である。
ガイド部材１３２は、線材ガイドノズル４０を、その軸線Ａを中心として矢印Ｆ方向に正逆回転させる回転駆動機構１３３を備えることができる。
回転駆動機構１３３は、線材ガイドノズル４０の軸線Ａと同一の軸線を有し、線材ガイドノズル４０を相対回転不能に支持するピニオンギヤ１３４と、ピニオンギヤ１３４に噛み合うラックギヤ１３５とを備える。ラックギヤ１３５は、不図示の駆動源により図中矢印Ｇ方向に所定量だけ往復移動する。ピニオンギヤ１３４は、ラックギヤ１３５の矢印Ｇ方向への移動量に応じた角度分だけ、図中矢印Ｆ方向に正逆回転する。
回転駆動機構１３３を備えることにより、軸線Ａを中心としてノズル孔４１の傾斜角度を自在に変更できるので、線材ガイドノズル４０から心棒１３１に向けて繰り出される線材の横断面形状の見かけ上の姿勢を自在に制御できる。例えば、図１２に示すフィルタ１０の線材層毎に、又は複数の線材層毎に金属線材２０の向きを可変させたフィルタを容易に製造することができる。
【００３８】
〔効果〕
以上、各実施形態に示した線材ガイドノズルは、挿通する線材の外形状に応じた内形状のノズル孔を有し、ノズル孔内で線材の姿勢を規制する。従って、線材ガイドノズルに線材を挿通して通過させることによって、線材ガイドノズルからは線材を、その横断面形状の見かけ上の姿勢が一定の方向を向くように送出することが可能となる。また、上記ノズル孔によって線材の姿勢を規制できるようにしたことで、所定の外形状を有する線材のみを通過させることが可能となり、製品に使用する線材の形状精度を高めることができる。
【００３９】
線材ガイドノズルを使用することによって、線材の姿勢を確実に規制するという観点、及び、所定の外形状を有する線材のみを通過させるという観点を考慮すると、ノズル孔の形状は線材の横断面形状と同一形状であることが望ましい。しかし、線材の外形状によってはノズル孔の形成が困難となるか、又はノズル孔を形成できたとしても線材ガイドノズルが高コスト化する虞がある。
このような場合には、ノズル孔の形状を線材の外形状に応じて適宜単純化することによって、線材ガイドノズルの低コスト化を図ることができる。ノズル孔の形状を単純化しても、送出される線材の横断面形状の見かけ上の姿勢を規制すること、及び一定の形状精度を有する線材のみを通過させることは可能である。
また、線材の外形状によっては、ノズル孔の形状を単純化することによって、線材がノズル孔内で引っかかりにくくなり、スムーズに送出されることが期待される。
【００４０】
図１２に示した中空筒状のフィルタ１０において、軸方向の一端から他端に向けて螺旋状に巻き付けられる線材２０は、フィルタ１０の軸方向端部において軸方向の他端から一端に向けて折り返されるため、当該部位において線材２０は巻き付き方向（周方向）とは異なる方向に湾曲又は屈曲する。横断面が真円形状の線材に対応したノズル孔を有する線材ガイドノズルを用いて、横断面形状の見かけ上の姿勢が変化する線材（図２、図３、図５参照）をガイドすると、湾曲又は屈曲に抗する線材の反力により、線材がノズル孔内で回転してしまい、フィルタ１０の軸方向端部において線材がヨレたり、線材が所定の姿勢を保持できずに回転又は反転した状態で巻き付けられる等、線材の姿勢が不安定になりやすいという問題があった。即ち、図１５中、矢印Ｅ１方向又は矢印Ｅ２方向に移動するガイド部材１３２が、進行方向を逆方向に変更するタイミングにおいて、心棒１３１に巻き付けられる線材２０の姿勢（向き又は角度）が正規の姿勢から逸脱しやすいという問題があった。
本発明の実施形態に係る線材ガイドノズル４０を使用すれば、ガイド部材１３２が進行方向を逆方向に変更するタイミングにおいても、心棒１３１に巻き付ける線材２０の姿勢（向き又は角度）を心棒１３１に対して一定に保持できるため、製造するフィルタ１０の品質を向上できる。
【００４１】
また、図１７に示すように、巻付装置１３０に線材ガイドノズル４０を正逆回転させる回転駆動機構１３３を備えれば、線材ガイドノズル４０から心棒１３１に向けて繰り出される線材の横断面形状の見かけ上の姿勢を自在に制御できる。従って、フィルタ１０の線材層毎に、又は複数の線材層毎に金属線材２０の向きを可変させたフィルタを容易に製造することが可能となる。なお、図１５に示すように、ガイド部材１３２が進行方向を逆方向に変更するタイミングにおいて、線材２０が回転しようとする方向とは反対の方向に線材ガイドノズル４０を若干回転させる制御を実行することで、線材２０の姿勢を正規の姿勢に維持しやすくなる。
【００４２】
〔本発明の実施態様例と作用、効果のまとめ〕
＜第一の実施態様＞
本態様は、長手方向と並行な軸線を中心として回転させた時に長手方向と直交する横断面形状の見かけ上の姿勢が変化する線材２０１、２０２、２０３を挿通してガイドしつつ送出するノズル孔４１を有した線材ガイドノズル４０であって、ノズル孔は、該ノズル孔から送出される線材の横断面形状の見かけ上の姿勢が常に一定の方向を向くようにその内面形状が構成されていることを特徴とする。
線材は、横断面形状の見かけ上の姿勢が変化するものであればよく、表面に凹所（溝）を有さない線材でも、有する線材でもよい。線材ガイドノズルは、上記何れの線材もガイド対象とすることができる。
また、ノズル孔は線材の横断面形状の見かけ上の姿勢が常に一定の方向を向くように線材を送出できればよく、ノズル孔は線材の横断面形状と同一の横断面形状を有していても、線材の横断面形状に対して適宜単純化された横断面形状を有していてもよい。
本態様によれば、ノズル孔が線材の姿勢を規制するので、線材ガイドノズルから送出される線材の姿勢を一定に維持することができる。従って、線材ガイドノズル備えた巻付装置１３０、及びこれを備えたフィルタの製造装置１００等により製造されるフィルタ等、線材を用いた製品の品質を向上させることができる。
また、線材ガイドノズルは、ノズル孔の形状に適合する横断面形状を有する線材の通過を許容し、ノズル孔の形状に適合しない横断面形状を有する線材の通過を阻止する。従って、一定の形状精度を持つ線材のみを中空筒状体等の製品に使用できるようになるから、線材ガイドノズルを通過させた線材を用いた製品の品質が向上する。
【００４３】
＜第二の実施態様＞
本態様に係る線材ガイドノズル４０がガイドしつつ送出する線材２０２、２０３は、その表面に長手方向に沿って伸びる凹所２１１を有することを特徴とする。
線材ガイドノズルは、横断面形状の見かけ上の姿勢が変化する線材として、その表面に長手方向に沿って伸びる凹所（溝）を有する線材をガイド対象とすることができる。
【００４４】
＜第三、第四の実施態様＞
第三の実施態様に係る線材ガイドノズル４０において、ノズル孔４１Ｂ〜４１Ｆの横断面形状は、線材２０２、２０３の凹所２１１以外の表面（非凹所表面２１６）と摺接しうる凸図形状（図９、図１０参照）であることを特徴とする。
第四の実施態様に係る線材ガイドノズル４０において、ノズル孔４１Ｂの横断面形状は、線材２０２、２０３の凹所２１１以外の表面（非凹所表面２１６）と摺接しうる凸包絡形状（図９参照）であることを特徴とする。
本態様によれば、ガイド対象である線材が凹所を有する場合であっても、ノズル孔は線材の凹所に入り込む凸所を有さない内面形状となる。ノズル孔の横断面形状が線材の外形状に対して単純化されるため、ノズル孔の形成が容易となる。従って、線材ガイドノズルの作製にかかるコストが低減される。また、線材がノズル孔内に引っかかりにくくなり、線材をスムーズに通過させることが可能となる。
【００４５】
＜第五の実施態様＞
本態様に係る線材ガイドノズル４０において、ノズル孔４１Ａ、４１Ｇは、線材２０２、２０３の凹所２１１に入り込む凸部８０を有することを特徴とする。
本態様によれば、凸部が線材の凹所に入り込んでその姿勢を規制するため、ノズル孔内における線材の姿勢維持が確実となる。また、凸部が線材の凹所に入り込むため、適正な形状の凹所を有する線材のみを通過させることが可能となる。
【００４６】
＜第六の実施態様＞
本態様に係る線材巻付装置１３０は、上記線材ガイドノズル４０を備えたことを特徴とする。
線材巻付装置は、線材を巻き付けることにより形成される製品を製造する装置である。線材巻付装置は、例えば、金属線材２０が螺旋状、且つ多層状に巻き付けられた中空筒状フィルタを製造する装置である。
本態様によれば、線材巻付装置にガイドノズルを備えることにより、線材の姿勢が一定の方向を向く中空筒状フィルタ等の製品を製造することができるので、製品の品質が向上する。更に、線材巻付装置にガイドノズルを備えることにより、一定の形状精度を有する線材のみが使用された中空筒状フィルタ等の製品を製造することができるので、製品の品質が向上する。
【００４７】
＜第七の実施態様＞
本態様に係る線材巻付装置は、線材ガイドノズルを、軸線を中心として回転させる回転駆動機構を備えたことを特徴とする。
本態様によれば、線材ガイドノズルから送出される線材の横断面形状の見かけ上の姿勢を、所望のタイミングで可変させることが可能となる。従って、線材の姿勢が所望の方向に制御された中空筒状フィルタ等の製品を製造することができる。
【符号の説明】
【００４８】
Ｌ１〜Ｌ３…線材層、１０…フィルタ、２０、２０Ａ、２０Ｂ…線材（金属線材）、２１…金属素線、４０、４０Ａ…線材ガイドノズル、４１、４１Ａ〜４１Ｇ…ノズル孔、４２…受入部、４３…姿勢規制部、４４…送出部、４７…Ｄカット部、７１〜７９…面、８０…凸部、１００Ａ、１００Ｂ…製造装置、１１０、１１０Ａ、１１０Ｂ…圧延装置、１１１ａ…圧延ローラ、１１１ｂ…圧延ローラ、１１２…加圧部、１２０…テンションユニット、１２１…固定ローラ、１２２…可動ローラ、１３０…巻付装置（線材巻付装置）、１３１…心棒、１３２、１３２Ａ…ガイド部材、１３３…回転駆動機構、１３４…ピニオンギヤ、１３５…ラックギヤ、１４０…搬送ローラ、１５０…バッファユニット、１５１…固定ローラ、１５２…可動ローラ、２０１、２０１Ａ〜２０１Ｅ…線材、２０２、２０２Ａ、２０２Ｂ…線材、２０３、２０３Ａ〜２０３Ｅ…線材、２１１…凹所、２１２…凹所内表面、２１３…平坦面、２１５…凸所、２１６…非凹所表面、２１７…凸面、２１８ａ、２１８ｂ…側端面、２１９…屈曲した頂部、２２０ａ〜２２０ｄ…凸角部、２２１…輪郭線
【図１】
2019156513.tif 000003
【図２】
2019156513.tif 000004
【図３】
2019156513.tif 000005
【図４】
2019156513.tif 000006
【図５】
2019156513.tif 000007
【図６】
2019156513.tif 000008
【図７】
2019156513.tif 000009
【図８】
2019156513.tif 000010
【図９】
2019156513.tif 000011
【図１０】
2019156513.tif 000012
【図１１】
2019156513.tif 000013
【図１２】
2019156513.tif 000014
【図１３】
2019156513.tif 000015
【図１４】
2019156513.tif 000016
【図１５】
2019156513.tif 000017
【図１６】
2019156513.tif 000018
【図１７】
2019156513.tif 000019